(57)【要約】      （修正有）【課題】設置・確認作業、撤去作業のいずれの作業も容易に行うことができるとともに、いずれの測定場所でも繰り返し使用可能で短期間の測定に有益な、しかも地球環境に優しい汎用性のある流量測定用水位センサ付き堰装置を提供する。【解決手段】上方開口２を有し、また、水路の上流側に対向配置される切欠３を上流側の面部ａに有するとともに、水路の下流側に対向配置される開口部分４を下流側の面部ｂに有する一方、これら両面部ａ，ｂを繋ぐ底面部ｃおよび左右一対の側面部ｄ，ｅを有する筐体５と、筐体５の前記上流側の面部ａに取り付けられた堰板６と、流量を測定するため堰板６を越す液の水位を測定する水位センサとを備え、前記水位センサを堰板６に取り付けた状態で、堰板６を水路内を流れる流体の流れの途中に設けている。【選択図】図２
0003161348.tif 000002
【実用新案登録請求の範囲】
【請求項１】
上方開口を有し、また、水路の上流側に対向配置される切欠を上流側の面部に有するとともに、水路の下流側に対向配置される開口部分を下流側の面部に有する一方、これら両面部を繋ぐ底面部および左右一対の側面部を有する筐体と、
筐体の前記上流側の面部に取り付けられた堰板と、
流量を測定するため前記堰板を越す液の水位を測定する水位センサとを備え、
前記水位センサを前記堰板に取り付けた状態で、前記堰板を水路内を流れる流体の流れの途中に設けたことを特徴とする流量測定用水位センサ付き堰装置。
【請求項２】
筐体が移動するのを防止するため筐体を前記上方開口側から押圧固定する突っ張り棒を設けた請求項１に記載の流量測定用水位センサ付き堰装置。
【請求項３】
筐体の前記開口部分と水路の下流側の管口を接続する接続手段を設けるとともに、
堰板を測定可能な所定の設置状態に位置決めするため堰板の上流側の面部の両側端にそれぞれ上下方向に調整移動可能で、かつ調整された高さに固定可能なレベル支持棒を設けた請求項１または２に記載の流量測定用水位センサ付き堰装置。
【請求項４】
前記接続手段は、下流端が水路の前記下流側の管口に嵌込まれる止水部材と、上流端が筐体の前記開口部分に接続され、下流端が前記止水部材の上流端に接続されるフレキシブル管とから構成されている請求項３に記載の流量測定用水位センサ付き堰装置。
【請求項５】
前記レベル支持棒および前記フレキシブル管とで前記堰板を測定可能な所定の設置状態に置くため筐体の前記上方開口に対向する前記底面部は筐体の前記上流側の面部から筐体の前記下流側の面部に行くに連れ下向きに傾斜する傾斜面に形成されている請求項４に記載の流量測定用水位センサ付き堰装置。
【考案の詳細な説明】
【技術分野】
【０００１】
この考案は、例えば下水道等の水路内を流れる流体（下水や排水）の流れの途中に堰板を設け、この堰を越す液の高さ（水位）から前記流体の流量を測定する際に用いられる流量測定用水位センサ付き堰装置に関するものである。
【背景技術】
【０００２】
従来この種の装置として、例えばマンホール内の下水路に設置可能に構成された堰装置がある。マンホールは、例えば縦断面略半円形の凹みが中央に形成された底面と円周壁面を有し、マンホール内の下水路は、上流の例えば縦断面略円形状の下水管の管口と例えば下流の縦断面略円形状の下水管の管口とを連通している。前記堰装置は、取付板と、この取付板の上部中央に形成されている凹み部分の周縁に取り付けられたコ字型の薄肉の堰板とよりなる。前記取付板は、下水路の前記左右側面および前記底面のそれぞれに当接可能な左右側縁および底縁を有する形状をしており、前記凹みに当接するよう前記取付板は底面中央から下方に突出する略半円形の凸状部を有している。そして、水位センサは、前記堰板の上端面を形成する左右水平面と、これら左右水平面よりも低い状態で左右水平面間に位置する中間水平面のうち、左右水平面のいずれか一方に固定設置されている。
【０００３】
上記構成よりなる堰装置においては、堰板の付いた取付板の前記左右側縁および前記底縁を、下水路の前記左右側面および前記底面のそれぞれに当接させながら堰板を測定可能な所定の設置状態に位置決めし、すなわち、堰板の上端面を水平状態にして取付板と下水路の当接箇所にセメントを打設することにより、下水路に堰装置を設置していた。
【考案の概要】
【考案が解決しようとする課題】
【０００４】
このように、堰板の付いた取付板のまわりにセメントを打設して取付板を下水路に固定するので、セメントを打設する作業に時間を費やし、また、打設したセメントが固まったかどうかの確認作業にも時間を費やす上に、狭いマンホール内での設置・確認作業は必ずしも容易な作業ではないという課題があるとともに、使用後のセメント撤去作業も大変煩雑で時間を費やす上に、撤去後に残存する廃材（セメント）の回収作業をも行う必要があり地球環境にも悪影響を及ぼしかねないという課題がある。しかも一度マンホール内に設置しても長い間堰装置をそのまま設置しておくわけでもなく、予定の測定期間が過ぎると撤去する必要があり、短期間の測定には採算があわず不向きであるとという課題もある。このようなことから、セメントを使わずに固定設置することが望まれていた。
【０００５】
この考案は、上述の事柄に留意してなされたもので、その目的は、設置・確認作業、撤去作業のいずれの作業も容易に行うことができるとともに、いずれの測定場所でも繰り返し使用可能で短期間の測定に有益な、しかも地球環境に優しい汎用性のある流量測定用水位センサ付き堰装置を提供することである。
【課題を解決するための手段】
【０００６】
上記目的を達成するために、この考案の流量測定用水位センサ付き堰装置は、上方開口を有し、また、水路の上流側に対向配置される切欠を上流側の面部に有するとともに、水路の下流側に対向配置される開口部分を下流側の面部に有する一方、これら両面部を繋ぐ底面部および左右一対の側面部を有する筐体と、
筐体の前記上流側の面部に取り付けられた堰板と、
流量を測定するため前記堰板を越す液の水位を測定する水位センサとを備え、
前記水位センサを前記堰板に取り付けた状態で、前記堰板を水路内を流れる流体の流れの途中に設けたことを特徴としている（請求項１）。
【０００７】
この考案では、筐体が移動するのを防止するため筐体を前記上方開口側から押圧固定する突っ張り棒を設けるのが好ましく（請求項２）、
また、筐体の前記開口部分と水路の下流側の管口を接続する接続手段を設けるとともに、堰板を測定可能な所定の設置状態に位置決めするため堰板の上流側の面部の両側端にそれぞれ上下方向に調整移動可能で、かつ調整された高さに固定可能なレベル支持棒を設けるのが好ましく（請求項３）、
また、前記接続手段は、下流端が水路の前記下流側の管口に嵌込まれる止水部材と、上流端が筐体の前記開口部分に接続され、下流端が前記止水部材の上流端に接続されるフレキシブル管とから構成されているのが好ましく（請求項４）、
また、前記レベル支持棒および前記フレキシブル管とで前記堰板を測定可能な所定の設置状態に置くため筐体の前記上方開口に対向する前記底面部は筐体の前記上流側の面部から筐体の前記下流側の面部に行くに連れ下向きに傾斜する傾斜面に形成されているのが好ましい（請求項５）。
【考案の効果】
【０００８】
請求項１に係る考案では、上方開口を有し、また、水路の上流側に対向配置される切欠を上流側の面部に有するとともに、水路の下流側に対向配置される開口部分を下流側の面部に有する一方、これら両面部を繋ぐ底面部および左右一対の側面部を有する筐体を設け、筐体の前記上流側の面部に堰板を取り付け、流量を測定するためその堰板を越す液の水位を測定する水位センサを堰板に取り付けるよう構成したので、水位センサが取り付けられた堰板付きの前記筐体を、堰板を測定可能な所定の設置状態に位置決めすることができたか否かを確認しながらの容易な設置・確認作業で水路内を流れる流体の流れの途中に固定設置することができる。また、設置・確認作業のみならず撤去作業も容易に行うことができる。さらに、水位センサが取り付けられた堰板付きの筐体は持ち運びが自由で、かつ便利であることから、いずれの測定場所でも繰り返し使用可能で短期間の測定に有益な、しかも地球環境に優しい汎用性のあるコンパクトなワンタッチ式の流量測定用水位センサ付き堰装置を提供することができる。
【図面の簡単な説明】
【０００９】
【図１】この考案の第１の実施形態における使用状態を示す全体構成説明図である。
【図２】上記実施形態における要部分解斜視図である。
【図３】上記実施形態で用いた構成部材の取り付け状態を側面側からみた構成説明図である。
【図４】上記実施形態で用いた構成部材の取り付け状態を平面側からみた構成説明図である。
【図５】上記実施形態で用いた堰板付き筐体を上流側からみた図である。
【図６】（Ａ）は、上記実施形態で用いた止水部材を上流側からみた図である。（Ｂ）は、上記実施形態で用いた止水部材を示す側面図である。（Ｃ）は、上記実施形態で用いた止水部材を下流側からみた図である。
【図７】（Ａ）は、上記実施形態で用いた筐体を示す上面図である。（Ｂ）は、上記実施形態で用いた筐体の上流側の面部を示す図である。（Ｃ）は、上記実施形態で用いた筐体の下流側の面部の側からみた図である。（Ｄ）は、上記実施形態で用いた筐体の一方の側面を示す側面図である。（Ｅ）は、上記実施形態で用いた筐体の上流側の面部の側からみた図である。
【図８】この考案の第２の実施形態で用いた止水部材とこれが嵌込まれる水路の下流側の管口を示す構成説明図である。
【図９】上記第２の実施形態で用いた止水部材を下流側からみた図である。
【図１０】（Ａ）は、この考案の第３の実施形態における図３に相当する図である。（Ｂ）は、上記第３の実施形態における図４に相当する図である。
【図１１】この考案の第４の実施形態における使用状態を示す全体構成説明図である。
【考案を実施するための形態】
【００１０】
図１〜図７は、例えば平面視円形のマンホールＭ内の水路（下水路）Ｓに設置可能に構成されたこの考案の第１の実施形態を示す。このワンタッチ堰式の流量測定用水位センサ付き堰装置１は、上方開口２を有し、また、水路Ｓの上流側に対向配置される凹状の切欠３をコ字型の上流側の面部ａに有するとともに、水路Ｓの下流側に対向配置される開口部分４を下流側の面部ｂに有する一方、これら両面部ａ，ｂを繋ぐ底面部ｃおよび左右一対の側面部ｄ，ｅを有する筐体５と、筐体５の前記上流側の面部ａに取り付けられた堰板６と、流量を測定するため前記堰板６を越す液の水位を測定する水位センサ（図示せず）とを主として備えており、前記水位センサを前記堰板６に取り付けた状態で、前記堰板６を水路Ｓ内を流れる流体（例えば下水）の流れの途中に設けてなる。マンホールＭは、例えば縦断面略半円形の凹みが中央に形成された底面ｕと円周壁面Ｗを有する。マンホールＭ内の水路Ｓは、上流の例えば縦断面略円形状の下水管の管口Ｌと下流の例えば縦断面略円形状の下水管の管口Ｋとを連通している。筐体５の前記上流側の面部ａは、左右の両側辺（垂直辺）ｍ，ｍよりも例えば５０ｍｍ程度長い下側底辺（下側水平辺）ｎを備えた正面視矩形形状の板体よりなり、前記切欠３は、上流側の面部ａの上端面ｎ’の中央に所定の幅Ａと高さを有する。また、前記堰板６はコ字型の薄肉の板体で、上端の中央部分が開放された状態で形成されている縦長の凹状の切欠６ａを有する。この切欠６ａの大きさは、図５に示すように、切欠６ａの左右の幅Ｂが、筐体５の上流側の面部ａに形成された切欠３の左右の幅Ａより短く、かつ高さが切欠３の高さよりも短い分だけ小さく設定されている。そして、前記堰板６の上端面を形成する左右水平面Ｔ1 ，Ｔ2 と、これら左右水平面Ｔ1 ，Ｔ2 よりも低い状態で左右水平面Ｔ1 ，Ｔ2 間に位置する中間水平面Ｔ3 のうち、左右水平面Ｔ1 ，Ｔ2 のいずれか一方に水位センサが固定設置されている。
【００１１】
さらに、流量測定用水位センサ付き堰装置１には、例えば、水位が上昇したときに浮力によって筐体５が移動するのを防止するため筐体５を前記上方開口２側から押圧固定する一対の突っ張り棒７，７が設けられているとともに、筐体５の前記開口部分４と水路Ｓの下流側の管口Ｋを接続する接続手段と、一対のレベル支持棒８が設けられている。このレベル支持棒８は、堰板６を測定可能な所定の設置状態に位置決めするため堰板６の上流側の面部ｆの左右両側端に設けた複数の筒状のガイド体１２に挿通された状態で、それぞれ上下方向に調整移動可能で、かつ調整された高さに固定可能に構成されている。この実施形態では、水路Ｓの下流側の管口Ｋが水路Ｓの底面ｕ（図８参照）よりも高い位置にある場合を示している。また、前記接続手段は、下流端９ａが水路Ｓの前記下流側の管口Ｋに嵌込まれる止水部材９と、上流端１０ａが筐体５の前記開口部分４に接続され、下流端１０ｂが前記止水部材９の上流端９ｂに接続されるフレキシブル管１０とから構成されている。また、筐体５の前記上方開口２に対向する前記底面部ｃは、図３、図７（Ｄ）に示すように、筐体５の前記上流側の面部ａから筐体５の前記下流側の面部ｂに行くに連れ下向きに傾斜する傾斜面に形成されている。
【００１２】
前記突っ張り棒７は伸縮自在に構成されており、マンホールＭの円周壁面Ｗに当接するパッド７ａを両端に有するとともに、所定の長さを維持するためのストッパ７ｂを中間位置に有する。そして、水路Ｓに設置された筐体５の側面部ｄの上端５ａと筐体５の側面部ｅの上端５ｂに跨がって前記一対の突っ張り棒７，７が両上端５ａ，５ｂに押しつけられるよう、一方の突っ張り棒７の一端のパッド７ａ側と、他方の突っ張り棒７の一端のパッド７ａ側とを当接させた状態で一対の突っ張り棒７，７が平面視Ｙ字形に設置され、これにより、水位が上昇したときに浮力によって筐体５が移動するのを防止している。１１は、両突っ張り棒７，７が互いに内向きに変位しないように両突っ張り棒７，７を支えるための棒状の支持部材である。この支持部材１１により、両突っ張り棒７，７のなす角度θが所定の角度に維持される。
【００１３】
また、前記レベル支持棒８が上下に挿通可能な前記ガイド体１２は、上下方向の所定の高さに調整されたレベル支持棒８をその高さに固定保持するため蝶ネジ１３が螺合するネジ孔１４を周壁に有する。また、前記レベル支持棒８は、作業者が掴み易く、かつレベル支持棒８を上下方向に調整移動し易いように上端に大径の摘まみ部１５を有する。
【００１４】
また、前記止水部材９は、上流側の大径部２０と下流側の小径部２１と小径部２１の周面を覆うよう固着されたシール部材としてのスポンジゴム２２とから構成されている。前記フレキシブル管１０の本体１０Ｃは、蛇腹状で伸縮自在である。また、スポンジゴム２２と、水路Ｓの下流側の管口Ｋとをシール可能に接続するためスポンジゴム２２の外周面ｉは下流に行くほど外周径が徐々に小さくなるテーパ面に形成されている。また、スポンジゴム２２の内周面ｑの径は止水部材９の小径部２１の外径に等しく設定されている。そして、フレキシブル管１０の上流端１０ａが筐体５の前記開口部分４に外嵌され（図４参照）、図２に示すワッパ形状のホースバンド２４と同一のホースバンド２３を上流端１０ａに取り付け、かつホースバンド２３をネジＲで締付けることにより上流端１０ａと前記開口部分４がシール可能に接続される一方、フレキシブル管１０の下流端１０ｂが止水部材９の大径部２０に外嵌され（図４参照）、ホースバンド２３と同じホースバンド２４を下流端１０ｂに取り付け、かつホースバンド２４をネジＲで締付けることにより下流端１０ｂと大径部２０が接続される。
【００１５】
而して、図２に示すように、接続手段９，１０が取り付けられている筐体５を用意する一方、左右水平面Ｔ1 ，Ｔ2 いずれか一方に水位センサが固定設置されている堰板６を用意し、この堰板６に形成された複数のネジ挿通孔３０を介してネジ３１を、筐体５の上流側の面部ａに形成されている複数のネジ孔３２に螺合させることにより、堰板６を筐体５の上流側の面部ａに取り付ける。その取り付け状態を図５に示す。続いて、筐体５をマンホールＭ内の水路Ｓ上に載置するとともに、スポンジゴム２２を介して止水部材９を水路Ｓの下流側の管口Ｋに差し込む作業が施される。続いて、筐体５の前記底面部ｃと筐体５の前記下流側の面部ｂとの交叉する辺ｈを水路Ｓの底面ｕ上に線接触させながら、レベル支持棒８の高さを調整する作業ととともに、フレキシブル管１０の蛇腹状の本体１０ｃを適宜屈曲させる作業を施しながら、この堰板６を垂直水平に置く確認作業が施される。すなわち、水位センサが固定設置されている堰板６の上端面Ｔ1 ，Ｔ2 を、測定可能な所定の設置状態である水平に位置決めする。その後、筐体５を上方開口２側から押圧固定する一対の突っ張り棒７，７をＹ字で突っ張りながら、突っ張り棒７，７がマンホールＭの中心へ行かないように支持部材１１で突っ張り棒７，７を支える作業が施され、流量測定用水位センサ付き堰装置１の固定設置作業が終了する。
【００１６】
図８、図９は、水路Ｓの下流側の管口Ｋが上記実施形態のように水路Ｓの水平な底面ｕの上方に位置しているのではなく、水路Ｓの底面ｕの位置にある場合に適用可能な止水部材９を備えたこの考案の第２の実施形態を示す。図８、図９において、図１〜図７に示す符号と同一のものは同一または相当物である。
【００１７】
図８、図９において、図４と異なる点は、止水部材９のスポンジゴム２２’の形状を図４のスポンジゴム２２の形状とは異なる形状にした点である。スポンジゴム２２’の外周面ｉ’のうち、水路Ｓの水平な底面ｕに接する最下位の外周面部分ｉ’’は水平状態を保っており、それ以外は下流に行くほど外周径が徐々に小さくなるテーパ面に形成されている。この構造は、あたかも径の異なる多数のコインを数珠つなぎにして、それを水平な面に載せたときに形成される外周面に似ている。これにより、図４に示した形状のスポンジゴム２２では、図８に示すような、水路Ｓの下流側の管口Ｋが水路Ｓの底面ｕの位置にある場合には前記管口Ｋにスポンジゴム２２をはめ込もうとしてもスポンジゴム２２が底面ｕに干渉してはめ込むことができないが、この実施形態では、スポンジゴム２２’が底面ｕに干渉することなく底面ｕに前記外周面部分ｉ’’が沿った状態でスポンジゴム２２’を前記管口Ｋに容易にはめ込むことができる利点を有する。
【００１８】
図１０は、止水部材９のスポンジゴム２２’’の外周面および内周面の形状と、スポンジゴム２２’’によって覆われる筒部２１’の外周面および内周面の形状をいずれも下流に行くほど外周径が徐々に小さくなるテーパ面に形成されているこの考案の第３の実施形態を示す。図１０において、図１〜図８に示す符号と同一のものは同一または相当物である。
【００１９】
図１１は、筐体５を上方開口２側から押圧固定するのに水路Ｓに設置された筐体５の一方の側面部ｄの上端５ａと筐体５の他方の側面部ｅの上端５ｂに跨がって設けた押圧固定部材５０と、この押圧固定部材５０に設けた挿通孔５１に挿通可能な回転軸部５２を有するホルダ５３と、このホルダ５３に保持される前記突っ張り棒７と、一対の突っ張り棒７，７をＹ字で突っ張るために回転軸部５２を介してホルダ５３を所定方向に回転させた後回転軸部５２に取り付けられてホルダ５３を位置決め固定しうるＣリング５４とを備え、一対の突っ張り棒７，７を筐体５に当てる場合に比べて測定時における筐体５を滑り難くしたこの考案の第４の実施形態を示す。図１１において、図１〜図１０に示す符号と同一のものは同一または相当物である。
【００２０】
図１１において、押圧固定部材５０は、下方開口５０ａを有する略直方体形状をなし、筐体５の側面部ｄの上端５ａと筐体５の側面部ｅの上端５ｂに係止可能な逆Ｕ字形の溝５５を長手方向における両端に有する。ホルダ５３は、突っ張り棒７を上方側からはめ込み、かつはめ込まれた突っ張り棒７が保持可能な保持部５３ａと、保持部５３ａの下面に設けられ下方に突出する回転軸部５２を有する。
【００２１】
なお、上記各実施形態では、一方の突っ張り棒７の一端のパッド７ａ側と、他方の突っ張り棒７の一端のパッド７ａ側とを当接させた状態で一対の突っ張り棒７，７を平面視Ｙ字形に設置したものを示したが、一対の突っ張り棒７，７を平行に位置させるとともに、両突っ張り棒７，７を支えるための同形の棒状の支持部材１１を少なくとも二箇所設けて一対の突っ張り棒７，７を梯子形状に設置してもよい。また、止水部材９に用いたシール部材としてのスポンジゴム２２に代えて、例えば自転車のタイヤのチューブのような中空環状部材を用い、これを水路Ｓの下流側の管口Ｋに差し込むように構成してもよい。この場合、例えば止水部材９の下流側の小径部２１の外周面を覆うよう前記中空環状部材をセットした状態で前記中空環状部材に空気が吸入される。さらに、上記各実施形態では、水路Ｓの下流側の管口Ｋに差し込まれる前記シール部材として、スポンジゴム２２，２２’，２２’’を用いたが、これら以外の素材のものでもシール可能なものであれば、適用可能である。
【符号の説明】
【００２２】
１            流量測定用水位センサ付き堰装置
２            上方開口
Ｓ            水路
３            切欠
ａ            上流側の面部
４            開口部分
ｂ            下流側の面部ｂ
ｃ            底面部
ｄ，ｅ        左右一対の側面部
５            筐体
６            堰板
【図１】
0003161348.tif 000003
【図２】
0003161348.tif 000004
【図３】
0003161348.tif 000005
【図４】
0003161348.tif 000006
【図５】
0003161348.tif 000007
【図６】
0003161348.tif 000008
【図７】
0003161348.tif 000009
【図８】
0003161348.tif 000010
【図９】
0003161348.tif 000011
【図１０】
0003161348.tif 000012
【図１１】
0003161348.tif 000013